(57)【要約】【課題】開形状態の毛軸着部本体を互いに折り込むと各々のブラシ毛軸が同方向に露出し、使用時の折形状態となり、逆に毛軸着部本体を互いに開くとブラシ毛軸が互いのブラシ毛軸の間に入り込み携帯時の平形的な開形状態にできる開折式ヘヤーブラシを提供する。【解決手段】相対する毛軸着部本体１ａ、１ｂは並列設のブラシ毛軸２ａ、２ｂを単数列ないし複数列設け、毛軸着部本体１ａ、１ｂへのブラシ毛軸２ａ、２ｂの並列方向の設置は、互いのブラシ毛軸２ａ、２ｂの間隔の間に互いに入り込むように設列し、かつ、毛軸着部本体１ａ、１ｂの各々の端部に外凸部３ａ、３ｂ、８ａ、８ｂと内凸部４ａ、４ｂ、７ａ、７ｂを設け、それらの凸部に挟み込む状態で連結体５、９を設け、相対的に並置した毛軸着部本体１ａ、１ｂと連結体５、９とで連接して、それらを結軸６ａ、６ｂ、１０ａ、１０ｂで連結して可動する機能を有している。【選択図】図２
2006334339.tif 000002
【特許請求の範囲】
【請求項１】
並列設のブラシ毛軸が単数列ないし複数列設けられた対の毛軸着部本体を相対的に並置し、それぞれの毛軸着部本体の端部に開折可動自在に連結する連結体を備える開折式ヘヤ−ブラシにおいて、上記対の毛軸着部本体のブラシ毛軸の並列方向への列設は、互いのブラシ毛軸間に入り込むように各々のブラシ毛軸を設けるとともに、対の毛軸着部本体端部に連結体の両端部を挟み込む凸部を設け、連結体と連結することで、各々の連結部分を支点にして、対の毛軸着部本体を相対的開形状態から折形状態へと可動自在に連結していることを特徴とする開折式ヘヤ−ブラシ。
【請求項２】
開形状態にある対の毛軸着部本体を折形状態に可動するとき、相対的一方向のみに可動し、逆方向には可動しないように連結体の両端片側部に逆可動止突片を設けていることを特徴とする請求項１記載の開折式ヘヤ−ブラシ。
【発明の詳細な説明】
【技術分野】
【０００１】  本発明は、対の毛軸着部本体を開折可動することによって、使用時には毛軸列が巾厚に露出し、携帯時には薄型に可動変形可能な開折式ヘヤ−ブラシに関するものである。
【背景技術】
【０００２】  本発明に関連する従来技術で周知のものは、並列のブラシ毛軸が数列設けられ末広がりのブラシ毛軸列を毛軸着基板を逆方向に変形させることで、ブラシ毛軸列の先端列間隔を狭めて厚みを減少させたものがあるが、厚みの減少率が少なく、その上、数種の異なった材質の組み合わせをしなければならない欠点があった（例えば、特許文献１参照。）。
また、スライドレバーに連結した数本単位のブラシ毛軸列がレバーをスライドすることでそれらの毛軸列を傾倒させながら本体胴内に収納することで、厚みを減少させ携帯時に利便性の高いものがあるが、構造上毛軸列の固定が不安定であったり、毛軸列部品点数が多く、製造組立においても煩雑さが予想される欠点があった（例えば、特許文献２参照。）。
【特許文献１】特開平６−２９６５２２
【特許文献２】実開平２−１０７３３３
【発明の開示】
【発明が解決しようとする課題】
【０００３】  解決しようとする問題点は、次のような欠点があった。使用時の毛軸列先端部分の巾厚と比較して、携帯時の厚みの減少率が少なかったり、多種の材質の組み合わせであったり、構造が複雑であったりなどの欠点を持っているという課題があった。【０００４】  本発明はこのような課題に着目し、使用時には、相対する毛軸着部本体を折り込み折形状態にすることで一方向に各々のブラシ毛軸列が出そろい、巾厚のブラシ毛軸列となり、かつ、携帯時には、折形状態の相対するブラシ毛軸着部本体を開形状態にすることで、それぞれのブラシ毛軸を互いの毛軸間に入れ込みあい、厚みを減少させることを簡潔な構造でできる開折式ヘヤ−ブラシを提供できるようになされたものである。
【課題を解決するための手段】
【０００５】  本発明は、並列設のブラシ毛軸が単数列ないし複数列設けられた対の毛軸着部本体を相対的に並置し、それぞれの毛軸着部本体の端部に開折可動自在に連結する連結体を備える開折式ヘヤーブラシにおいて、上記対の毛軸着部本体のブラシ毛軸の並列方向への列設は互いのブラシ毛軸間に入り込むように各々にブラシ軸列を設けるとともに、対の毛軸着部本体端部に連結体の両端部を挟み込む凸部を設け、連結体とで連結すことで、各々の連結部分を支点にして、対の毛軸着部本体を相対的開形状態から折形状態へと可動自在に連結していることを上記課題解決の手段としている。【０００６】  このような構成のもとで、第２課題解決手段は、開形状態にある対の毛軸着部本体を折形状態に可動するとき、相対的一方向のみに可動し、逆方向には可動しないように連結体の両端片側部に逆可動止突片を設けている。【０００７】  上記第１の課題解決手段による作用は、ブラシ毛軸が列設された対の毛軸着部本体を連結体で連結することで、より簡単な動作で、携帯時の開形状態から使用時の折形状態へと可動変換できるようにしている。【０００８】  第２の課題解決手段による作用は、対の毛軸着部本体が開形状態から折形状態に可動するとき、相対的一方向のみの可動にすることで、ブラシ毛軸の先端部分が他方の毛軸着部本体のブラシ毛軸設置面への接触を防ぎ円滑な可動を可能にしている。
【発明の効果】
【０００９】  本発明の開折式ヘヤ−ブラシは、従来の同種の機能を有するヘヤ−ブラシと比較して、使用時における折形状態のブラシ毛軸先端部の巾厚を同等にしても、携帯時における開形状態の形状はより薄型、小型になり、両状態時の利便性を高める目的を単純簡潔な構造で、構成部品点数も少なく、さらに構成部品を単一部材にしても製造可能であり、使用取り扱いにおいても容易にすることができる開折式ヘヤーブラシを提供できる。
【発明を実施するための最良の形態】
【００１０】  以下、本発明の開折式ヘヤーブラシにおける実施の形態を図に基づいて説明する。【００１１】  （実施形態１）図１は本発明の実施形態１の開折式ヘヤ−ブラシの携帯時における開形状態の正面図であって、相対的に並置した毛軸着部本体１ａ、１ｂを連結体５、９で連結し可動して使用時における折形状態から開形状態にしたものであり、図２は、同様の斜視図である。図３は、実施形態１の開折式ヘヤ−ブラシの使用時状態の斜視図であって、毛軸着部本体１ａ、１ｂを連結体５、９で連結し折形状態に可動したものである。【００１２】  本実施形態は、図１に示されるとおり、若干の可撓性を有する硬質合成樹脂等を主素材とする毛軸着部本体１ａ、１ｂの２個で構成され、１個の毛軸着部本体につき、ブラシ毛軸２ａ、２ｂは並列９本のものが、図１のＶＩ−ＶＩ拡大断面図である図６に示されるように２列あり、互いのブラシ毛軸２ａ、２ｂの並列方向設置は、ブラシ毛軸２ａ、２ｂの並列方向の間隔の間に互いに入り込むように設けている。【００１３】  毛軸着部本体１ａ、１ｂの両端部に外凸部３ａ、３ｂ、８ａ、８ｂと内凸部４ａ、４ｂ、７ａ、７ｂを設け、それぞれの中程に横方向の外凸部結孔３ｃ、３ｄ、８ｃ、８ｄと内凸部結孔４ｃ、４ｄ、７ｃ、７ｄを設け、それぞれの端部の形状は結孔の同心の半円形になっている。【００１４】  連結体５は、図１に示されているとおり、相対的に並置された毛軸着部本体１ａ、１ｂの一方の端部に設けられた外凸部３ａ、３ｂと内凸部４ａ、４ｂとの間隙に入れ込まれ、図１のＶ−Ｖ拡大断面図である図５に示されているように、両端に連結体結孔５ａ、５ｂを設け、その両端の同方向片側の形状は連結体結孔５ａ、５ｂの同心の円弧形で、両端他側の形状は角形形状の逆可動止突片５ｃ、５ｄを設けている。連結体９は、毛軸着部本体１ａ、１ｂの他方の端部に設けられた内凸部７ａ、７ｂと外凸部８ａ、８ｂとの間隙に入れ込まれ、図１のＩＶ−ＩＶ拡大断面図である図４に示されているように、両端に連結体結孔９ａ、９ｂを設け、両端の形状は連結体結孔９ａ、９ｂの同心の半円形になっている。【００１５】  相対的に並置された毛軸着部本体１ａ、１ｂの外凸部３ａ、３ｂと内凸部４ａ、４ｂとの間隙に連結体５と、内凸部７ａ、７ｂと外凸部８ａ、８ｂとの間隙に連結体９で、それぞれの結孔に連通するように接合し、結軸６ａ、６ｂ、１０ａ、１０ｂで連結している。【００１６】  以上のような構成により、連結した毛軸着部本体１ａ、１ｂと連結体５、９との各々の結軸６ａ、６ｂ、１０ａ、１０ｂを支点にして携帯時の開形状態から折形状態の使用時における形態へ可動し、また、使用時の折形状態から開形状態の携帯時における形態へと可動できる。しかし、開形状態から折形状態への可動にあたっては、相対的一方向のみで逆方向へは可動しないようになっている。【００１７】  （実施形態２）図７は、本発明の実施形態２の開折式ヘヤーブラシの携帯時における開形状態の正面図であって、相対的に並置した毛軸着部本体１１ａ、１１ｂを連結体１５で連結し可動して使用時における折形状態から開形状態にしたものでありる。毛軸着部本体１１ａ、１１ｂを連結体１５で連結し可動する機構は実施形態１と同様であ��。【００１８】  本実施形態は、図７に示されているとおり、相対的に並置された毛軸着部本体１１ａ、１１ｂのブラシ毛軸１２ａ、１２ｂの列設は実施形態１と同様であるが、横巾厚の広い連結体１５は、それぞれの毛軸着部本体１１ａ、１１ｂの一方端部に設けられた外凸部１３ａ、１３ｂと内凸部１４ａ、１４ｂとの間隙に挟み込まれる形態になっており、その上下端に横方向の連結体結孔１５ａ、１５ｂを設け、その上下端の形状は、図７のＩＶ−ＩＶ拡大断面図である図４に示されているように連結体結孔１５ａ、１５ｂの同心の半円形になっているが、一部、図７のＶ−Ｖ拡大断面図である図５に示されているように、上下端の同方向片側の形状は角形形状の逆可動止突片１５ｃ、１５ｄを設けている。【００１９】  相対的に並置された毛軸着部本体１１ａ、１１ｂの一方端部の外凸部１３ａ、１３ｂと内凸部１４ａ、１４ｂに挟み込まれる状態で連結体１５を設置し、外凸部結孔１３ｃ、１３ｄ、内凸部結孔１４ｃ、１４ｄ、連結体結孔１５ａ、１５ｂのそれぞれの結孔を結軸１６ａ、１６ｂで連結している。【００２０】  以上のような構成により、相対的に並置した毛軸着部本体１１ａ、１１ｂと連結体１５とを結軸１６ａ、１６ｂによる支点可動可能に連結する機構は実施形態１と同様である。
【図面の簡単な説明】
【００２１】
【図１】本発明の実施形態１の携帯時における正面図
【図２】本発明の実施形態１の携帯時における斜視図
【図３】本発明の実施形態１の使用時における斜視図
【図４】本発明の実施形態１図１、実施形態２図７のＩＶ−ＩＶ拡大断面図
【図５】本発明の実施形態１図１、実施形態２図７のＶ−Ｖ拡大断面図
【図６】本発明の実施形態１図１、実施形態２図７のＶＩ−ＶＩ拡大断面図
【図７】本発明の実施形態２の携帯時における正面図
【符号の説明】
【００２２】  １ａ、１ｂ、１１ａ、１１ｂ  毛軸着部本体
２ａ、２ｂ、１２ａ、１２ｂ  ブラシ毛軸
３ａ、３ｂ、１３ａ、１３ｂ  外凸部
３ｃ、３ｄ、１３ｃ、１３ｄ  外凸部結孔
４ａ、４ｂ、１４ａ、１４ｂ  内凸部
４ｃ、４ｄ、１４ｃ、１４ｄ  内凸部結孔
５          １５            連結体
５ａ、５ｂ、１５ａ、１５ｂ  連結体結孔
５ｃ、５ｄ、１５ｃ、１５ｄ  逆可動止突片
６ａ、６ｂ、１６ａ、１６ｂ  結軸
７ａ、７ｂ      内凸部
７ｃ、７ｄ      内凸部結孔
８ａ、８ｂ      外凸部
８ｃ、８ｄ      外凸部結孔
９              連結体
９ａ、９ｂ      連結体結孔
１０ａ、１０ｂ  結軸
【図１】
2006334339.tif 000003
【図２】
2006334339.tif 000004
【図３】
2006334339.tif 000005
【図４】
2006334339.tif 000006
【図５】
2006334339.tif 000007
【図６】
2006334339.tif 000008
【図７】
2006334339.tif 000009